(57)【要約】【課題】カメラのユーザインターフェースを画像管理装置でも使用可能にすること。【解決手段】カメラ検出部１０３ａは、カメラインターフェース１０２に接続手段に接続されたカメラの機種を検出し、操作画面表示部１０３ｂは、カメラ検出部１０３ａで検出したカメラが有する操作部材の位置関係を保持したままカメラが有する操作部材の画像を表示した操作用画面をモニタ１０５上に表示する。処理実行部１０３ｃは、操作用画面に含まれるいずれかの操作部材が操作されたときに、操作された操作部材に対応するカメラの操作部材に割り当てられている処理を実行する。【選択図】図１
2007228038.tif 000002
【特許請求の範囲】
【請求項１】
カメラを接続する接続手段と、
前記接続手段に接続されたカメラの機種を検出する検出手段と、
前記検出手段で検出したカメラの操作部材の画像を操作用画面としてモニタに表示する表示制御手段とを備えることを特徴とする画像管理装置。
【請求項２】
請求項１に記載の画像管理装置において、
前記表示制御手段は、前記カメラの操作部材の位置関係を保持したまま、前記検出手段で検出したカメラの操作部材の画像を前記操作用画面として表示することを特徴とする画像管理装置。
【請求項３】
請求項１または２に記載の画像管理装置において、
カメラで撮像された撮像画像を記録する記録手段をさらに備え、
前記表示制御手段は、前記カメラのモニタに相当する領域（モニタ領域）を前記操作用画面内に表示し、前記記録手段に記録されている撮像画像を前記モニタ領域内に表示することを特徴とする画像管理装置。
【請求項４】
請求項３に記載の画像管理装置において、
前記表示制御手段は、前記モニタ領域を前記カメラの操作部材との位置関係を保持したまま前記操作用画面内に表示することを特徴とする画像管理装置。
【請求項５】
請求項３または４に記載の画像管理装置において、
前記表示制御手段は、前記モニタ領域の大きさを、前記操作用画面内で変化させることを特徴とする画像管理装置。
【請求項６】
請求項１〜５のいずれか一項に記載の画像管理装置において、
前記操作用画面に含まれるいずれかの操作部材が操作されたときに、操作された操作部材に対応する前記カメラの操作部材に割り当てられている処理を実行する実行手段をさらに備えることを特徴とする画像管理装置。
【請求項７】
請求項１〜６のいずれか一項に記載の画像管理装置において、
前記カメラが有する操作部材には割り当てられていない追加処理の実行を指示する追加処理指示手段と、
前記追加処理指示手段によって指示された前記追加処理を実行する追加処理実行手段とをさらに備えることを特徴とする画像管理装置。
【発明の詳細な説明】
【技術分野】
【０００１】
本発明は、画像を表示する画像管理装置に関する。
【背景技術】
【０００２】
次のような画像読取装置が特許文献１によって知られている。この画像読取装置においては、液晶表示部に各種操作キーを表示し、使用者はこの液晶表示部に表示された操作キーを操作して画像読取装置に対して指示を出す。
【０００３】
【特許文献１】特開平１１−２７５２９９号公報
【発明の開示】
【発明が解決しようとする課題】
【０００４】
しかしながら、従来の画像読取装置では、液晶表示部に表示される操作キーの種類および配置などのユーザインターフェースは画像読取装置に固有のものであり、画像読取装置の機種ごとに異なるユーザインターフェースが提供されることになる。このため、使用者は、機種が変わるごとにその都度操作方法を覚えなければならない。
【課題を解決するための手段】
【０００５】
請求項１に記載の画像管理装置は、カメラを接続する接続手段と、接続手段に接続されたカメラの機種を検出する検出手段と、検出手段で検出したカメラの操作部材の画像を操作用画面としてモニタに表示する表示制御手段とを備えることを特徴とする。
請求項２に記載の画像管理装置は、請求項１に記載の画像管理装置において、表示制御手段は、カメラの操作部材の位置関係を保持したまま、検出手段で検出したカメラの操作部材の画像を操作用画面として表示することを特徴とする。
請求項３に記載の画像管理装置は、請求項１または２に記載の画像管理装置において、カメラで撮像された撮像画像を記録する記録手段をさらに備え、表示制御手段は、カメラのモニタに相当する領域（モニタ領域）を操作用画面内に表示し、記録手段に記録されている撮像画像をモニタ領域内に表示することを特徴とする。
請求項４に記載の画像管理装置は、請求項３に記載の画像管理装置において、表示制御手段は、モニタ領域をカメラの操作部材との位置関係を保持したまま操作用画面内に表示することを特徴とする。
請求項５に記載の画像管理装置は、請求項３または４に記載の画像管理装置において、表示制御手段は、モニタ領域の大きさを、操作用画面内で変化させることを特徴とする。
請求項６に記載の画像管理装置は、請求項１〜５のいずれか一項に記載の画像管理装置において、操作用画面に含まれるいずれかの操作部材が操作されたときに、操作された操作部材に対応するカメラの操作部材に割り当てられている処理を実行する実行手段をさらに備えることを特徴とする。
請求項７に記載の画像管理装置は、請求項１〜６のいずれか一項に記載の画像管理装置において、カメラが有する操作部材には割り当てられていない追加処理の実行を指示する追加処理指示手段と、追加処理指示手段によって指示された追加処理を実行する追加処理実行手段とをさらに備えることを特徴とする。
【発明の効果】
【０００６】
本発明によれば、接続されたカメラの操作部材の画像を操作用画像として表示するようにしたので、使用者は使い慣れているカメラのユーザインターフェースを用いて画像管理装置を操作できるようになり、画像管理装置の操作方法を覚える必要がなくなる。
【発明を実施するための最良の形態】
【０００７】
図１は、本実施の形態における画像管理装置の一実施の形態の構成を示すブロック図である。画像管理装置１００としては、例えばフォトストレージャが使用される。フォトストレージャとは、カメラで撮像された画像データを蓄積する装置であり、使用者はフォトストレージャ内に蓄積された画像をモニタ上に表示して閲覧したり、フォトストレージャ内に蓄積された画像に対して種々の画像処理の実行を指示することができる。このフォトストレージャは、一般的に各機種に固有の操作用画面、すなわちユーザインターフェースを備えており、使用者は操作用画面上でフォトストレージャに種々の指示を与えることができる。
【０００８】
本実施の形態におけるフォトストレージャ、すなわち画像管理装置１００は、一般的なフォトストレージャと同様に固有の操作用画面を有しており、使用者はこの操作用画面を使用して操作することも可能であるが、さらに使用者の利便性を向上するために、後述するように、画像管理装置１００に接続されたカメラが備えるユーザインターフェースをモニタ上に表示して、使用者は使い慣れたカメラのユーザインターフェースを使用して画像管理装置１００を操作できるようになっている。
【０００９】
画像管理装置１００は、入力装置１０１と、外部インターフェース１０２と、制御装置１０３と、ＨＤＤ１０４と、モニタ１０５とを備えている。
【００１０】
入力装置１０１は、例えば、操作用リモコン（リモコン）であり、このリモコンには画像管理装置１００を操作するために必要なボタン（キー）が配置されている。使用者はこのリモコンを操作することによって、画像管理装置１００に対して種々の指示を出すことができる。
【００１１】
カメラインターフェース１０２は、例えばＵＳＢインターフェースや無線ＬＡＮモジュールなど、カメラ（デジタルカメラ）を有線接続または無線接続するためのインターフェースである。外部インターフェース１０２に接続されるカメラは、カメラと外部インターフェース１０２との間の接続が確立すると、外部インターフェース１０２を介してカメラの機種情報を送信する。そして、カメラインターフェース１０２は、カメラからカメラの機種情報を受信すると、その機種情報を含む信号をカメラが接続されたことを示す信号（カメラ接続信号）として制御装置１０３へ出力する。
【００１２】
また、外部インターフェース１０２は、使用者からの指示に応じて、カメラから静止画像ファイルや動画像ファイル（画像ファイル）を取り込む。外部インターフェース１０２を介して取り込んだ画像ファイルは、制御装置１０３に出力され、制御装置１０３によってＨＤＤ１０４に記録される。なお、ＨＤＤ１０４は、外部インターフェース１０２を介して取り込んだ画像ファイル、および画像検索装置１００を動作させるための種々のプログラムを記録するためのハードディスクドライブである。モニタ１０５は、例えば液晶モニタである。
【００１３】
制御装置１０３は、ＣＰＵ、メモリ、およびその他周辺回路で構成され、カメラ検出部１０３ａと、操作画面表示部１０３ｂと、処理実行部１０３ｃと、設定部１０３ｄとを機能的に備えている。
【００１４】
カメラ検出部１０３ａは、外部インターフェース１０２から上述したカメラ接続信号が入力されたときに、画像管理装置１００にカメラが接続されたことを検出する。そして、カメラ接続信号に含まれるカメラの機種情報に基づいて、接続されたカメラの機種を判別する。
【００１５】
ここで、本実施の形態における画像管理装置１００においては、あらかじめＨＤＤ１０４にカメラの機種ごとのユーザインターフェース情報が登録されている。カメラの機種ごとのユーザインターフェース情報は、カメラの機種によって異なるユーザインターフェースを示す情報、例えばカメラ背面部に配置された種々の操作部材（操作ボタン）を、その位置関係を保持したまま表した画像データ、および各操作部材にカメラ上で実際に割り当てられている処理を割り当てたプログラムとを含んでいる。
【００１６】
すなわち、カメラの機種ごとにその操作部材を含む面の画像（操作部材の画像）やプログラムのエミュレーション情報がカメラの機種ごとのユーザインターフェース情報としてＨＤＤ１０４に記録されている。なお、一般的なカメラにおいては、操作部材を有する面、例えばカメラの背面には、メニュー情報や画像を表示するための液晶モニタが搭載されていることから、ユーザインターフェース情報として登録される画像データは、カメラ背面部に配置された各操作部材および液晶モニタを、その位置関係を保持したまま表した画像データとなる。
【００１７】
操作画面表示部１０３ｂは、カメラ検出部１０３によって判別されたカメラの機種に対応するユーザインターフェース情報をＨＤＤ１０４から読み込む。そして、読み込んだユーザインターフェース情報に含まれるカメラの操作部材の画像、例えばカメラ背面部の画像データをモニタ１０５に表示することによって、モニタ１０５上に操作用画面を表示する。すなわち、接続されたカメラの操作部材を備える面の画像を、各操作部材や液晶モニタの位置関係を保ったままモニタ１０５に表示する。
【００１８】
例えば、操作画面表示部１０３ｂは、図２に示すように、カメラ２ａの背面部に設けられたメニューボタンや十字ボタンなどの各種設定ボタン、および液晶モニタを表示した操作用画面をモニタ１０５に表示する。換言すると、カメラ２ａの背面部に搭載された種々の操作ボタンに相当する複数のボタン領域と、液晶モニタに相当するモニタ領域２ｃとを含む操作用画面をモニタ１０５に表示する。そして、使用者は、入力装置１０１を使用して操作画面上に表示されるカーソル２ｂを操作し、操作用画面内に含まれる任意のボタン領域を選択することができる。
【００１９】
処理実行部１０３ｃは、使用者によって入力装置１０１が操作され、カーソル２ｂにより操作用画面内のいずれかのボタン領域が選択された場合には、選択されたボタン領域に対応するカメラ２ａの操作部材に割り当てられている処理を実行する。
【００２０】
例えば、使用者によって操作用画面内のメニューボタンに相当するボタン領域が選択され、カメラ２ａではメニューボタンには液晶モニタにメニュー画面を表示する処理が割り当てられている場合には、処理実行部１０３ｃは、操作用画面内のモニタ領域２ｃにカメラの液晶モニタに表示されるものと同じメニュー画面を表示する。また、使用者によって入力装置１０１が操作され、操作用画面上で画像の再生を指示するための再生ボタンに相当するボタン領域が選択された場合には、処理実行部１０３ｃは、ＨＤＤ１０４に記録されている画像を読み込んで、読み込んだ画像をモニタ領域２ｃに表示する。
【００２１】
また、使用者によって入力装置１０１が操作され、操作用画面上で画像の削除を指示するための削除ボタンに相当するボタン領域が選択された場合には、処理実行部１０３ｃは、ＨＤＤ１０４に記録されている画像を削除する。このとき、カメラ側に画像を削除するときは液晶モニタ上に削除確認メッセージを表示する機能が実装されている場合には、操作用画面上ではその機能も再現する。例えば、接続されているカメラ上では、削除ボタンが押下されたときに、液晶モニタ上に「本当に削除しますか？」のような削除確認メッセージが表示される場合には、処理実行部１０３ｃは、操作用画面上のモニタ領域２ｃに同様の削除確認メッセージを表示する。
【００２２】
これによって、使用者は普段使い慣れているカメラと同じユーザインターフェースを使用して画像管理装置１００を操作できるようになり、新たに画像管理装置１００の操作を覚える必要がなくなる。
【００２３】
操作画面表示部１０３ｂはまた、使用者によって入力装置１０１が操作され、カーソルがモニタ領域２ｃ上に移動した場合、すなわちカーソルがモニタ領域２ｃ上に当たったことを検出した場合には、モニタ領域２ｃをその他のボタン領域との位置関係を保持したまま拡大表示する。これによって、使用者が操作用画面上で画像の再生を指示することによってモニタ領域２ｃに画像が表示されている場合に、モニタ１０５上で画像を拡大して閲覧したい場合に、操作用画面上のカーソルをモニタ領域２ｃ上に移動するだけでモニタ領域２ｃを拡大することができるようになり、使用者の利便性を向上することができる。また、モニタ領域２ｃを拡大するに当たって、モニタ領域２ｃとその他のボタン領域との位置関係を保持したままとすることによって、カメラのユーザインターフェースを保持したまま画像を拡大して表示することができる。
【００２４】
モニタ領域拡大の具体例を図３に示す。図３（ａ）に示すカメラの背面部を再現した操作用画面上で、使用者が入力装置１０１を操作してカーソル２ｂをモニタ領域２ｃ上に移動させた場合には、操作画面表示部１０３ｂは、図３（ｂ）に示すように、モニタ領域２ｃとその他のボタン領域との位置関係を保持したままモニタ領域２ｃを操作用画面内で拡大する。その後、使用者が入力装置１０１を操作してカーソル２ｂを拡大後のモニタ領域２ｃ上に当てると、操作画面表示部１０３ｂは、図３（ｃ）に示すように、さらにモニタ領域２ｃを拡大表示する。ここでは、モニタ領域２ｃは、図３（ｂ）および図３（ｃ）に示すように拡大率を２段階に変化させる例について示すが、拡大率を３段階以上に変化させてもよい。
【００２５】
設定部１０３ｄは、カメラインターフェース１０２にカメラが接続されている状態で、モニタ１０５に表示した操作用画面上で使用者によって設定メニューが操作されてカメラの設定が変更された場合には、その変更内容をカメラインターフェース１０２を介してカメラへ出力し、カメラの設定を操作用画面上で設定されたものと同一にする。
【００２６】
また、設定部１０３ｄは、カメラインターフェース１０２を介して接続されているカメラの設定変更状況を監視し、カメラ側の操作部材が操作されてカメラの設定が変更された場合には、カメラインターフェース１０２を介してカメラから設定の変更内容を取得し、画像管理装置１００側の設定内容に反映する。すなわち操作用画面上で設定されたカメラの設定と、カメラインターフェース１０２に接続されたカメラの設定とを同期させる。
【００２７】
このように、モニタ１０５に表示された操作用画面上での操作をカメラへ反映することにより、使用者はモニタ１０５に表示した大きな操作用画面上でカメラの設定を行うことができ、操作を容易に行うことができる。また、カメラ側での操作を画像管理装置１００に反映することにより、使用者は普段使い慣れたカメラをリモコン代わりに使用して画像管理装置１００を操作することができ、利便性が向上する。
【００２８】
そして、カメラインターフェース１０２に接続されたカメラの接続が解除された場合には、カメラ検出部１０３ａは待機状態となり、再度カメラインターフェース１０２にカメラが接続されるのを監視する。このとき、操作画面表示部１０３ｂは、引き続き直前に接続されていたカメラの操作用画面の表示を継続し、使用者が今まで接続されていたカメラのユーザインターフェースを使用して画像管理装置１００を操作できるようにしておく。また、処理実行部１０３ｃも、操作用画面上における使用者による操作に基づいて、直前に接続されていたカメラと同様の処理を実行する。
【００２９】
設定部１０３ｄは、カメラの接続が解除された状態で操作用画面上でカメラの設定が変更された場合には、その変更後の設定情報をカメラの機種情報と対応付けてＨＤＤ１０４に記憶しておく。そして、次回、同じ機種のカメラがカメラインターフェース１０２に接続された場合に、保存しておいた設定情報をカメラへ出力して同期をとる。
【００３０】
これによって、カメラインターフェース１０２とカメラとの接続が解除した後も、使用者は、今まで接続されていたカメラと同一のユーザインターフェースを使用して画像管理装置１００を操作することができる。また、カメラが外された後に操作用画面上で設定された内容は、次回のカメラ接続時にカメラに自動的に反映することができ、使用者の利便性が向上する。
【００３１】
一方、使用者によって操作用画面が閉じられるなどして処理の終了が指示された場合には、１０３ｂ〜１０３ｄの各部は上述した処理を終了する。そして、カメラ検出部１０３ａは、カメラインターフェース１０２へのカメラの接続を監視する。そして、使用者によってカメラインターフェース１０２に再度カメラが接続された場合には、１０３ｂ〜１０３ｄの各部は、その接続されたカメラの機種に応じて上述した処理を実行する。
【００３２】
図４は、カメラインターフェース１０２に、図２に示したカメラ２ａとは異なるカメラ４ａが接続された場合の具体例を示す図である。この図４に示すように、上述した操作画面表示部１０３ｂによる処理によって、カメラインターフェース１０２に接続されたカメラに応じた操作用画面がモニタ１０４に表示される。また、処理実行部１０３ｃは、操作用画面上に含まれるいずれかのボタン領域がカーソル２ｂによって選択されると、選択されたボタン領域に対応するカメラ４ａの操作部材に割り当てられている処理を実行する。
【００３３】
図５は、本実施の形態における画像管理装置１００の処理を示すフローチャートである。図５に示す処理は、カメラインターフェース１０２にカメラが接続されると起動するプログラムとして、制御装置１０３によって実行される。
【００３４】
ステップＳ１０において、カメラ検出部１０３ａは、カメラインターフェース１０２に接続されたカメラの機種を判別してステップＳ２０へ進む。ステップＳ２０では、設定部１０３ｄは、上述したように、過去に同じ機種のカメラの設定がカメラの接続解除後に変更されたことにより、ＨＤＤ１０４に当該機種の設定情報が記録されているか否かを判断する。同じ機種の設定情報が記憶されていると判断した場合には、ステップＳ３０へ進む。ステップＳ３０では、ＨＤＤ１０４に記憶されているカメラの設定情報をカメラインターフェース１０２を介してカメラに出力して、設定用画面上で変更された設定内容をカメラに反映して、ステップＳ４０へ進む。
【００３５】
一方、ＨＤＤ１０４に同じ機種の設定情報が記憶されていないと判断した場合には、ステップＳ４０へ進む。ステップＳ４０では、操作画面表示部１０３ｂは、上述したように、カメラ検出部１０３によって判別されたカメラの機種に対応するユーザインターフェース情報をＨＤＤ１０４から読み込む。その後、ステップＳ５０へ進み、操作画面表示部１０３ｂは、読み込んだユーザインターフェース情報に基づいて、上述した操作用画面をモニタ１０５上に表示する。その後、ステップＳ６０へ進む。
【００３６】
ステップＳ６０では、処理実行部１０３ｃは、使用者によって入力装置１０１が操作され、操作用画面上のいずれかのボタン領域が選択されたか、すなわち使用者によって操作用画面上でボタン操作がされたか否かを判断する。使用者によってボタン操作がされていないと判断した場合には、後述するステップＳ８０へ進む。これに対して、使用者によってボタン操作がされたと判断した場合には、ステップＳ７０へ進む。
【００３７】
ステップＳ７０では、処理実行部１０３ｃは、使用者によって操作用画面上で選択されたボタン領域に対応するカメラの操作部材に割り当てられている処理を実行して、ステップＳ８０へ進む。
【００３８】
ステップＳ８０では、操作画面表示部１０３ｂは、使用者によって入力装置１０１が操作され、操作用画面上に表示されているカーソルがモニタ領域２ｃ上に移動したか否かを判断する。カーソルがモニタ領域２ｃ上に移動していないと判断した場合には、後述するステップＳ１００へ進む。これに対してカーソルがモニタ領域２ｃ上に移動したと判断した場合には、ステップＳ９０へ進む。ステップＳ９０では、操作画面表示部１０３ｂは、上述したように、操作用画面上におけるモニタ領域２ｃとその他のボタン領域との位置関係を保ったまま、モニタ領域２ｃを拡大して、ステップＳ１００へ進む。
【００３９】
ステップＳ１００では、設定部１０３ｄは、カメラインターフェース１０２にカメラが接続中であるか否かを判断する。カメラが接続中ではない、すなわちカメラの接続が解除されたと判断した場合には、後述するステップＳ１５０へ進む。これに対して、カメラが接続中であると判断した場合には、ステップＳ１１０へ進む。ステップＳ１１０では、設定部１０３ｄは、モニタ１０５に表示された操作用画面上でカメラの設定が変更されたか否かを判断する。操作用画面上でカメラの設定が変更されていないと判断した場合には、後述するステップＳ１３０へ進む。
【００４０】
これに対して、操作用画面上でカメラの設定が変更されたと判断した場合には、ステップＳ１２０へ進む。ステップＳ１２０では、使用者によって設定が変更された内容を示す設定情報をカメラインターフェース１０２を介してカメラへ出力し、操作用画面上で変更された設定内容をカメラに反映する。その後、ステップＳ１３０へ進む。
【００４１】
ステップＳ１３０では、設定部１０３ｄは、カメラインターフェース１０２を介して接続されているカメラの設定変更状況を監視し、カメラ側の操作部材が操作されてカメラの設定が変更されたか否かを判断する。カメラ側でカメラの設定が変更されていないと判断した場合には、後述するステップＳ１７０へ進む。これに対して、カメラ側でカメラの設定が変更されたと判断した場合にはステップＳ１４０へ進み、カメラインターフェース１０２を介してカメラから設定の変更内容を取得して画像管理装置１００の設定内容に反映する。
【００４２】
次に、ステップＳ１００において、カメラインターフェース１０２にカメラが接続中ではないと判断した場合の処理について説明する。ステップＳ１５０では、設定部１０３ｄは、モニタ１０５に表示された操作用画面上でカメラの設定が変更されたか否かを判断する。操作用画面上でカメラの設定が変更されていないと判断した場合には、後述するステップＳ１７０へ進む。
【００４３】
これに対して、操作用画面上でカメラの設定が変更されたと判断した場合には、ステップＳ１６０へ進む。ステップＳ１６０では、設定部１０３ｄは、上述したように、変更後の設定情報をカメラの機種情報と対応付けてＨＤＤ１０４に記憶する。その後、ステップＳ１７０へ進む。
【００４４】
ステップＳ１７０では、使用者によって操作用画面が閉じられるなどして処理の終了が指示されたか否かを判断する。使用者によって終了が指示されていないと判断した場合には、ステップＳ６０へ戻って処理を繰り返す。これに対して、使用者によって終了が指示されたと判断した場合には、処理を終了する。
【００４５】
以上説明した本実施の形態によれば、以下のような作用効果を得ることができる。
（１）カメラインターフェース１０２に接続されたカメラの機種に応じたユーザインターフェースの操作用画面をモニタ１０５に表示して使用者に提供するようにした。これによって、使用者が使い慣れているカメラのユーザインターフェースをそのまま操作用画面として使用者に提供することができる。
【００４６】
（２）使用者によって入力装置１０１が操作され、カーソルにより操作用画面内のいずれかのボタン領域が選択された場合には、選択されたボタン領域に対応するカメラの操作部材に割り当てられている処理を実行するようにした。これによって、使用者は普段使い慣れているカメラのユーザインターフェースを使用して画像管理装置１００を操作することができ、使用者の利便性が向上する。また、新たに画像管理装置１００の操作方法を覚える必要がなく、容易に操作を行うことができる。
【００４７】
（３）画像の再生が指示された場合には、操作用画面内に含まれるモニタ領域２ｃ内に、ＨＤＤ１０４に記録されている画像を表示するようにした。これによって、カメラ上での画像の再生と同様の使用感でＨＤＤ１０４に記録されている画像データ再生することができる。
【００４８】
（４）使用者によって入力装置１０１が操作され、操作用画面上のカーソルがモニタ領域２ｃ上に移動した場合には、モニタ領域２ｃをその他のボタン領域との位置関係を保持したまま拡大表示するようにした。これによって、使用者は画像を拡大して閲覧したい場合に、操作用画面上のカーソルをモニタ領域２ｃ上に移動するだけでモニタ領域２ｃを拡大することができ、使用者の利便性を向上することができる。
【００４９】
（５）カメラインターフェース１０２にカメラが接続されている状態で、モニタ１０５に表示した操作用画面上で使用者によって設定メニューが操作されてカメラの設定が変更された場合には、その変更内容をカメラインターフェース１０２を介してカメラへ出力し、カメラの設定を操作用画面上で設定されたものと同一にするようにした。これによって、使用者はモニタ１０５に表示した大きな操作用画面上でカメラの設定を行うことができ、操作を容易に行うことができる。
【００５０】
（６）カメラインターフェース１０２を介して接続されているカメラの操作部材が操作されてカメラの設定が変更された場合には、カメラインターフェース１０２を介してカメラから設定の変更内容を取得して画像管理装置１００の設定内容に反映するようにした。これによって、使用者は普段使い慣れたカメラをリモコン代わりに使用して画像管理装置１００を操作することができ、利便性が向上する。
【００５１】
（７）カメラの接続が解除された状態で操作用画面上でカメラの設定が変更された場合には、その変更後の設定情報をカメラの機種情報と対応付けてＨＤＤ１０４に記憶しておき、次回、同じ機種のカメラがカメラインターフェース１０２に接続された場合に、保存しておいた設定情報をカメラへ出力して同期をとるようにした。これによって、カメラが外された後に操作用画面上で設定された内容は、次回のカメラ接続時にカメラに自動的に反映することができ、使用者の利便性が向上する。
【００５２】
―変形例―
なお、上述した実施の形態の画像管理装置は、以下のように変形することもできる。
（１）上述した実施の形態では、あらかじめＨＤＤ１０４にカメラの機種ごとのユーザインターフェース情報を記録しておき、操作画面表示部１０３ｂは、接続されたカメラの機種に応じたユーザインターフェース情報をＨＤＤ１０４から読み出すことによって、カメラのユーザインターフェースを再現した操作用画面をモニタ１０５上に表示する例について説明した。しかしこれに限定されず、操作画面表示部１０３ｂは、カメラのユーザインターフェース情報を通信装置を経由して外部サーバからダウンロードすることによって取得してもよい。あるいは、各カメラにユーザインターフェース情報を登録しておき、カメラインターフェース１０２を介してカメラから取得するようにしてもよい。
【００５３】
（２）上述した実施の形態では、カメラインターフェース１０２へのカメラの接続が解除された場合には、操作画面表示部１０３ｂは、引き続き直前に接続されていたカメラの操作用画面の表示を継続するようにした。しかしこれに限定されず、カメラインターフェース１０２へのカメラの接続が解除された場合には、モニタ１０５への操作用画面の表示を継続するか、あるいは操作用画面を非表示にするかを使用者に確認してもよく、あるいは強制的に操作用画面を非表示にするようにしてもよい。
【００５４】
（３）上述した実施の形態では、カメラインターフェース１０２からカメラが取り外された状態で、操作用画面上で使用者によってカメラの設定が変更された場合には、その変更情報をＨＤＤ１０４に保存するようにした。そして、次に同じ機種のカメラがカメラインターフェース１０２に接続されたときに、保存しておいた設定情報を自動的にカメラへ出力して同期をとる例について説明した。しかしこれに限定されず、カメラインターフェース１０２にカメラが接続されたときに、その都度、ＨＤＤ１０４に保存されている設定情報とカメラ側の設定状況とを比較して、両者が異なる場合に、ＨＤＤ１０４に保存されている設定情報をカメラへ出力するようにしてもよい。また、ＨＤＤ１０４に保存されている設定情報とカメラ側の設定状況とが異なる場合には、使用者にどちらの設定を優先するかを確認し、使用者の指示に応じて設定の同期を取るようにしてもよい。
【００５５】
（４）上述した実施の形態では、接続されたカメラに応じた操作用画面をモニタ１０５上に表示して、カメラが備えている種々の機能をカメラのユーザインターフェースを使用して画像管理装置１００上でも動作させる例について説明した。しかしこれに限定されず、画像管理装置１００はカメラが備えていない機能を画像管理装置１００に独自の機能（追加機能）として搭載するようにしてもよい。この場合、例えば図６に示すように、操作画面表示部１０３ｂは、追加機能を指示するためのポップアップメニュー６ａを操作用画面上に表示して使用者が実行を指示できるようにしてもよい。そして、処理実行部１０３ｃは、使用者によって入力装置１０１が操作され、ポップアップメニュー上で任意の機能が選択された場合に、選択された機能を実行するようにすればよい。
【００５６】
（５）上述した実施の形態では、使用者によって入力装置１０１が操作され、カーソルがモニタ領域２ｃ上に移動した場合には、モニタ領域２ｃをその他のボタン領域との位置関係を保持したまま拡大表示する例について説明した。しかしこれに限定されず、操作用画面上にモニタ領域拡大ボタンを配置し、使用者によって入力装置１０１が操作され、当該モニタ領域拡大ボタンが押下された場合に、モニタ領域２ｃをその他のボタン領域との位置関係を保持したまま拡大表示するようにしてもよい。これによって、使用者がモニタ領域２ｃ上で画像を拡大して閲覧したい場合に、操作用画面上でモニタ領域拡大ボタンを押下するだけでモニタ領域２ｃを拡大することができるようになり、使用者の利便性をさらに向上することができる。
【００５７】
（６）上述した実施の形態では、操作用画面としてカメラの背面部をモニタ１０５上に表示する例について説明した。しかしこれに限定されず、例えば図７に示すように、操作用画面を立体的な画像とし、一般的なカメラで電源スイッチ７ａやレリーズボタン７ｂを備えるカメラの上面部も操作用画面に含むようにしてもよい。そして、使用者が操作用画面上で電源スイッチ７ａを押下すると、カメラインターフェース１０２に接続されているカメラの電源をオフすると同時に画像管理装置１００の電源もオフするようにする。また、使用者が操作用画面上でレリーズボタン７ｂを押下すると、カメラインターフェース１０２に接続されているカメラを制御して画像を撮像するようにする。これによって、使用者は操作用画面上でさらに多くの指示を与えることができ、利便性が向上する。
【００５８】
（７）上述した実施の形態では、画像管理装置１００として、画像を蓄積するためのフォトストレージャを使用する例について説明した。しかしこれに限定されず、本発明による画像管理装置１００としてパソコンやその他の情報機器を使用することも可能である。
【００５９】
なお、本発明の特徴的な機能を損なわない限り、本発明は、上述した実施の形態における構成に何ら限定されない。
【図面の簡単な説明】
【００６０】
【図１】画像管理装置の一実施の形態の構成を示すブロック図である。
【図２】モニタ１０５に表示される操作用画面の具体例を示す第１の図である。
【図３】操作用画面上でモニタ領域を拡大した場合の具体例を示す図である。
【図４】モニタ１０５に表示される操作用画面の具体例を示す第２の図である。
【図５】画像管理装置１００の処理を示すフローチャート図である。
【図６】追加機能の実行を指示するためのポップアップメニューの具体例を示す図である。
【図７】操作用画面をカメラの上面部も含む立体的な画像とした場合の具体例を示す図である。
【符号の説明】
【００６１】
１００  画像管理装置、１０１  入力装置、１０２  カメラインターフェース、１０３  制御装置、１０３ａ  カメラ検出部、１０３ｂ  操作画面表示部、１０３ｃ  処理実行部、１０３ｄ  設定部、１０４  ＨＤＤ、１０５  モニタ
【図１】
2007228038.tif 000003
【図２】
2007228038.tif 000004
【図３】
2007228038.tif 000005
【図４】
2007228038.tif 000006
【図５】
2007228038.tif 000007
【図６】
2007228038.tif 000008
【図７】
2007228038.tif 000009